【手続補正書】
【提出日】平成24年11月29日(2012.11.29)
【手続補正１】
【補正対象書類名】明細書
【補正対象項目名】０００７
【補正方法】変更
【補正の内容】
【０００７】
本発明の第１の観点によると、
処理対象画像から、着目像を含む一部の領域を処理対象領域画像として抽出する抽出手段と、
前記処理対象画像の全体から、エッジを検出する検出手段と、
前記抽出手段により抽出された前記処理対象領域画像の中に、前記検出手段により検出された前記エッジと略合致する合致直線が存在するか否かを判断する判断手段と、
前記判断手段により前記処理対象領域画像の中に前記合致直線が存在すると判断された場合、前記処理対象領域画像のうち、前記合致直線の領域を除外した領域を処理対象領域とする制御手段と、
を備える画像処理装置を提供する。
本発明の第２の観点によると、
前記判断手段は、前記処理対象領域画像の中に、前記検出手段により前記処理対象領域画像外の領域である非処理対象領域画像で検出されたエッジと略合致する合致直線が存在するか否かを判断する、
画像処理装置を提供する。
【手続補正２】
【補正対象書類名】明細書
【補正対象項目名】０００８
【補正方法】変更
【補正の内容】
【０００８】
本発明の第３の観点によると、
前記制御手段は、さらに、
前記判断手段により前記処理対象領域画像の中に前記合致直線が存在しないと判断された場合、前記処理対象領域画像を処理対象領域とする、
画像処理装置を提供する。
【手続補正３】
【補正対象書類名】明細書
【補正対象項目名】０００９
【補正方法】変更
【補正の内容】
【０００９】
本発明の第４の観点によると、
着目する被写体を撮像することによって、撮像画像を出力する撮像手段と、
合焦手段と、
をさらに備え、
前記抽出手段は、前記撮像手段によって撮像された撮像画像から、前記被写体を含む領域を前記処理対象領域画像として抽出し、
前記制御手段は更に、前記処理対象領域に合焦するように前記合焦手段を制御する、
画像処理装置を提供する。
【手続補正４】
【補正対象書類名】明細書
【補正対象項目名】００１０
【補正方法】変更
【補正の内容】
【００１０】
本発明の第５の観点によると、
前記合焦手段は、ＡＦ評価エリアから算出されたＡＦ評価値に基づいて、合焦し、
前記制御手段は、前記処理対象領域を用いた前記処理の制御として、前記処理対象領域に基づいて前記ＡＦ評価エリアを設定し、設定した前記ＡＦ評価エリアから前記ＡＦ評価値を算出する処理を制御する、
画像処理装置を提供する。
本発明の第６の観点によると、
前記処理対象領域画像をハフ変換した結果と、前記非処理対象領域画像をハフ変換した結果と、を比較することにより合致直線を検出する、
画像処理装置を提供する。
【手続補正５】
【補正対象書類名】明細書
【補正対象項目名】００１１
【補正方法】変更
【補正の内容】
【００１１】
本発明の第７の観点によると、
画像処理装置によって、処理対象画像のうち着目像を含む領域を処理対象領域として、前記処理対象領域を用いた処理を制御するための画像処理方法において、
前記処理対象画像から、前記着目像を含む一部の領域を処理対象領域画像として抽出する抽出ステップと、
前記処理対象画像の全体から、エッジを検出する検出ステップと、
前記抽出ステップの処理により抽出された前記処理対象領域画像の中に、前記検出ステップの処理により検出された前記エッジと略合致する合致直線が存在するか否かを判断する判断ステップと、
前記判断ステップの処理により前記処理対象領域画像の中に前記合致直線が存在すると判断された場合、前記処理対象領域画像のうち、前記合致直線の領域を除外した領域を処理対象領域として決定し、前記処理対象領域を用いた処理を制御する制御ステップと、
を含む画像処理方法を提供する。
【手続補正６】
【補正対象書類名】明細書
【補正対象項目名】００１２
【補正方法】変更
【補正の内容】
【００１２】
本発明の第８の観点によると、
処理対象画像のうち着目像を含む領域を処理対象領域として、前記処理対象領域を用いた処理を制御するコンピュータに、
前記処理対象画像から、前記着目像を含む一部の領域を処理対象領域画像として抽出する抽出機能と、
前記処理対象画像の全体から、エッジを検出する検出機能と、
前記抽出機能の実現により抽出された前記処理対象領域画像の中に、前記検出機能の実現により検出された前記エッジと略合致する合致直線が存在するか否かを判断する判断機能と、
前記判断機能の実現により前記処理対象領域画像の中に前記合致直線が存在すると判断された場合、前記処理対象領域画像のうち、前記合致直線の領域を除外した領域を処理対象領域として決定し、前記処理対象領域を用いた処理を制御する制御機能と、
を実現させるためのプログラムを提供する。
【手続補正７】
【補正対象書類名】特許請求の範囲
【補正対象項目名】全文
【補正方法】変更
【補正の内容】
【特許請求の範囲】
【請求項１】
処理対象画像から、着目像を含む一部の領域を処理対象領域画像として抽出する抽出手段と、
前記処理対象画像の全体から、エッジを検出する検出手段と、
前記抽出手段により抽出された前記処理対象領域画像の中に、前記検出手段により検出された前記エッジと略合致する合致直線が存在するか否かを判断する判断手段と、
前記判断手段により前記処理対象領域画像の中に前記合致直線が存在すると判断された場合、前記処理対象領域画像のうち、前記合致直線の領域を除外した領域を処理対象領域とする制御手段と、
を備える画像処理装置。
【請求項２】
前記判断手段は、前記処理対象領域画像の中に、前記検出手段により前記処理対象領域画像外の領域である非処理対象領域画像で検出されたエッジと略合致する合致直線が存在するか否かを判断する、
請求項１に記載の画像処理装置。
【請求項３】
前記制御手段は、さらに、
前記判断手段により前記処理対象領域画像の中に前記合致直線が存在しないと判断された場合、前記処理対象領域画像を処理対象領域とする、
請求項１又は２に記載の画像処理装置。
【請求項４】
着目する被写体を撮像することによって、撮像画像を出力する撮像手段と、
合焦手段と、
をさらに備え、
前記抽出手段は、前記撮像手段によって撮像された撮像画像から、前記被写体を含む領域を前記処理対象領域画像として抽出し、
前記制御手段は更に、前記処理対象領域に合焦するように前記合焦手段を制御する、
請求項１乃至３いずれか一項に記載の画像処理装置。
【請求項５】
前記合焦手段は、ＡＦ評価エリアから算出されたＡＦ評価値に基づいて、合焦し、
前記制御手段は、前記処理対象領域を用いた前記処理の制御として、前記処理対象領域に基づいて前記ＡＦ評価エリアを設定し、設定した前記ＡＦ評価エリアから前記ＡＦ評価値を算出する処理を制御する、
請求項４に記載の画像処理装置。
【請求項６】
前記処理対象領域画像をハフ変換した結果と、前記非処理対象領域画像をハフ変換した結果と、を比較することにより合致直線を検出する、
請求項１乃至５いずれか一項に記載の画像処理装置。
【請求項７】
画像処理装置によって、処理対象画像のうち着目像を含む領域を処理対象領域として、前記処理対象領域を用いた処理を制御するための画像処理方法において、
前記処理対象画像から、前記着目像を含む一部の領域を処理対象領域画像として抽出する抽出ステップと、
前記処理対象画像の全体から、エッジを検出する検出ステップと、
前記抽出ステップの処理により抽出された前記処理対象領域画像の中に、前記検出ステップの処理により検出された前記エッジと略合致する合致直線が存在するか否かを判断する判断ステップと、
前記判断ステップの処理により前記処理対象領域画像の中に前記合致直線が存在すると判断された場合、前記処理対象領域画像のうち、前記合致直線の領域を除外した領域を処理対象領域として決定し、前記処理対象領域を用いた処理を制御する制御ステップと、
を含む画像処理方法。
【請求項８】
処理対象画像のうち着目像を含む領域を処理対象領域として、前記処理対象領域を用いた処理を制御するコンピュータに、
前記処理対象画像から、前記着目像を含む一部の領域を処理対象領域画像として抽出する抽出機能と、
前記処理対象画像の全体から、エッジを検出する検出機能と、
前記抽出機能の実現により抽出された前記処理対象領域画像の中に、前記検出機能の実現により検出された前記エッジと略合致する合致直線が存在するか否かを判断する判断機能と、
前記判断機能の実現により前記処理対象領域画像の中に前記合致直線が存在すると判断された場合、前記処理対象領域画像のうち、前記合致直線の領域を除外した領域を処理対象領域として決定し、前記処理対象領域を用いた処理を制御する制御機能と、
を実現させるためのプログラム。